(57)【要約】【課題】甲皮の前側開き部の締緩を行う手段を備えた運動靴において、使用者の好み等に応じ、その締緩手段を変更して甲皮締付け度合いや外観を任意に選択することができる新規な運動靴を提供する。【解決手段】靴紐３によって甲皮１の前側開き部２の締緩を行い、その上から被覆バンド４を被せて止着することで、靴紐３の緩みや解け等を防止すると共に、締緩手段として靴紐３を用いながら、バンドタイプの外観を持つ運動靴となる。使用者の好みやその日の気分等により、靴紐３で締緩しながらバンドタイプの外観を持つ紐併用バンドタイプの運動靴と、紐タイプの運動靴と、バンドタイプの運動靴の何れかを任意に選択することができる。【選択図】  図１
2006075207.tif 000002
【特許請求の範囲】
【請求項１】
甲皮における前側開き部の左右縁部間に掛け渡される靴紐と、前記前側開き部を覆う被覆バンドとを備え、前記被覆バンドは一端部を前記前側開き部の一方の縁部側に固定し、他端部を他方の縁部側に係脱自在に止着して、前記靴紐と被覆バンドの各々が甲皮の締緩機能を備えると共に、前記靴紐が掛け渡された前側開き部を前記被覆バンドで被覆可能に形成した運動靴。
【請求項２】
前記被覆バンドの一端部を前記前側開き部の一方の縁部側に連結手段で着脱可能に固定して該被覆バンドを靴本体に対し着脱自在とし、靴紐で甲皮の締緩を行い且つその上から被覆バンドで覆う形態と、被覆バンドを外して靴紐のみで甲皮の締緩を行う形態と、靴紐を外して被覆バンドのみで甲皮の締緩を行う形態の内から何れか一つを任意に選択し得るよう形成したことを特徴とする請求項１記載の運動靴。
【請求項３】
前記連結手段が、前記被覆バンドの一端部と、前記前側開き部の一方の縁部側とにわたって設けたスライドファスナーからなることを特徴とする請求項２記載の運動靴。
【請求項４】
前記被覆バンドの他端部が、該他端部の裏面側と、前記前側開き部の他方の縁部側とに設けた雄雌の異なる面ファスナーにより、前記前側開き部の他方の縁部側に係脱自在に止着されることを特徴とする請求項１乃至３の何れか記載の運動靴。
【請求項５】
前記被覆バンドの表面側と裏面側に夫々異なる色彩、模様、文字等の意匠が具備され、該被覆バンドを、表面側と裏面側の何れか一方を選択して使用可能としたことを特徴とする請求項２乃至４の何れか記載の運動靴。
【発明の詳細な説明】
【技術分野】
【０００１】
本発明は、甲皮における前側開き部の締緩を靴紐と被覆バンドの両方で行うことができる新規な運動靴に関する。
【背景技術】
【０００２】
従来から、例えば特許文献１乃至３に開示されるように、甲皮における前側開き部の締緩を靴紐で行うようにした運動靴、ベルトで行うようにした運動靴、バンドで行うようにした運動靴が知られている。
また、特許文献４に開示されるように、甲皮における前側開き部の締緩を靴紐で行うと共に、履き口寄りの部位にベルトを設けてより確かな締め付けを行えるようにした靴も知られている。
【０００３】
【特許文献１】実開平４−４３１０９号公報
【特許文献２】特開２０００−１５２８０５号公報
【特許文献３】実開昭６１−１２６８０５号公報
【特許文献４】実開平１−６６１１０号公報
【発明の開示】
【発明が解決しようとする課題】
【０００４】
このような従来の運動靴は、甲皮の前側開き部の締緩を靴紐、ベルト、バンドの何れかで行うもので、紐タイプ、ベルトタイプ、バンドタイプといった各々が持つ外観意匠を変更することはできなかった。また、前記した靴紐とベルトで締緩を行うタイプの運動靴も、ベルトの併用により締め付け力を向上し得るという機能面での付加はあるが、自己の持つ意匠の変更という点までは考慮されていなかった。
一方、近年におけるファッション性、デザイン性の多様化、購入者個々の趣味の多様化などに伴い、使用感、フィット感、外観などを、使用者の好みやその日の気分、使用目的等に応じて任意に変更し得る運動靴が求められている。
【０００５】
本発明はこのような従来事情に鑑みてなされたもので、その目的とする処は、甲皮の前側開き部の締緩を行う手段を備えた運動靴において、使用者の好み等に応じ、その締緩手段を変更して甲皮締付け度合いや外観を任意に選択することができる新規な運動靴を提供することにある。
【課題を解決するための手段】
【０００６】
以上の目的を達成するために、本発明に係る運動靴は、甲皮における前側開き部の左右縁部間に掛け渡される靴紐と、前記前側開き部を覆う被覆バンドとを備え、前記被覆バンドは一端部を前記前側開き部の一方の縁部側に固定し、他端部を他方の縁部側に係脱自在に止着して、前記靴紐と被覆バンドの各々が甲皮の締緩機能を備えると共に、前記靴紐が掛け渡された前側開き部を前記被覆バンドで被覆可能に形成したことを特徴とする。
【０００７】
このような構成によれば、靴紐によって甲皮前側の締緩を行い、その上から被覆バンドを被せて止着することで、靴紐の緩みや解け等を防止すると共に、締緩手段として靴紐を用いながら、バンドタイプの外観を持つ運動靴となる。
【０００８】
また本発明は、前記被覆バンドの一端部を前記前側開き部の一方の縁部側に連結手段で着脱可能に固定して該被覆バンドを靴本体に対し着脱自在とし、靴紐で甲皮の締緩を行うと共にその上を被覆バンドで覆う形態と、被覆バンドを外して靴紐のみで甲皮の締緩を行う形態と、靴紐を外して被覆バンドのみで甲皮の締緩を行う形態の内から何れか一つを任意に選択し得るよう形成したことを特徴とする。
【０００９】
この場合、使用者の好みやその日の気分等により、前述した靴紐で締緩しながらバンドタイプの外観を持つ紐併用バンドタイプの運動靴と、紐タイプの運動靴と、バンドタイプの運動靴の何れかを任意に選択することができる。
【００１０】
被覆バンドの一端部を前側開き部の一方の縁部側に着脱可能に固定するための連結手段として、例えばホック等の嵌合式のものやフック，バックル等の連結手段を用いることもできるが、この場合、被覆バンドの着脱に所定の力が必要であったり、被覆バンドを外したときに靴本体側に残るフック，バックル等が邪魔になったり損傷する等の虞れがある。よって、バンド着脱操作の容易性や被覆バンドを外した際の外観等を考慮すれば、前記被覆バンドの一端部と、前記前側開き部の一方の縁部側とにわたって設けたスライドファスナーからなる連結手段を用いることが好ましい。
【００１１】
被覆バンドの他端部を係脱自在に止着する手段として、前記したホック，フック，バックル等を用いることもできるが、この場合、前述した点に加え、バンドによる締付け度合いの強弱を任意に調整し得るようにする為に、バンド長さ調整手段を別途要するなどの不具合が生じる。
よって、バンド他端部の係脱操作の容易性やバンドによる締付け度合いの強弱を任意に調整し得るようにすること等を考慮すれば、被覆バンドの他端部裏面側と、前記前側開き部の他方の縁部側とに設けた雄雌の異なる面ファスナーからなる止着手段を用いることが好ましい。
【００１２】
被覆バンドの表面側と裏面側に夫々異なる色彩、模様、文字等の意匠が具備され、該被覆バンドを、表面側と裏面側の何れか一方を選択して使用可能とすることが好ましい。
この場合、被覆バンドの表側と裏側を任意に選択して装着することで、一つのバンドにより二種類の意匠を選択することが可能になる。
またこの場合、前記止着手段として、被覆バンドの他端部の表面側及び裏面側と、前側開き部の他方の縁部側とに設けた雄雌の異なる面ファスナーからなる止着手段を用いることは言うまでもない。
【発明の効果】
【００１３】
本発明は以上説明したように、甲皮前側の締緩手段として靴紐と被覆バンドの双方を備え、靴紐による締緩を行った上から被覆バンドで覆う新規な運動靴としたので、使用中の靴紐の緩みや解けを防止し得ると共に、締緩手段として靴紐を用いながらバンドタイプの外観を持つ新規な運動靴として提供することができた。
また、被覆バンドを着脱自在とすることで、使用者の好みやその日の気分、使用目的等に応じて、紐タイプとバンドタイプの何れかを任意に選択することができる等、多くの効果を奏する。
【発明を実施するための最良の形態】
【００１４】
以下、本発明の実施形態の一例を図面に基づいて説明する。
図１に示す運動靴は、靴本体ａの甲皮１における前側開き部２を、靴紐３と被覆バンド４で締緩することで履き口５に対する足の出し入れを行えるよう構成されたもので、その被覆バンド４を着脱自在として、任意の履き心地と外観を選択し得るようになっている。
【００１５】
靴本体ａは、キャンバス地や皮材等からなる甲皮１の底面開口を合成樹脂等からなる靴底６で塞ぐと共に、前側開き部２を内側の舌片７で塞ぐようにした、この種運動靴において周知の構成のものである。
靴紐３は、前側開き部２の左右の縁部２ａ，２ｂに沿って設けた複数の紐孔間にジグザグに掛け渡されて、前側開き部２の締緩を任意に調整し得るようになっている。
被覆バンド４は、一端部が連結手段としてのスライドファスナー８で前側開き部２の一方の縁部２ａ側に着脱自在に固定され、他端部が止着手段９で他方の縁部２ｂ側に係脱自在に止着されている。
【００１６】
スライドファスナー８は、被覆バンド４の一端部に沿って形成した歯８ａと、甲皮１における前側開き部２の一方の縁部２ａの近傍に沿って形成した歯８ｂと、これら歯８ａ，８ｂを噛合，分離させるためのスライダー８ｃと、該スライダー８ｃの摺動操作を行うための引き手８ｄからなり、両歯８ａ，８ｂが噛合した状態で被覆バンド４が靴本体ａに装着され、両歯８ａ，８ｂが分離することで被覆バンド４が靴本体ａから外れるようになっている。
尚、前記スライダー８ｃと引き手８ｄは、被覆バンド側の歯８ａと、甲皮１側の歯８ｂとのどちらに装着するようにしても良い。被覆バンド側に装着した場合は、被覆バンド４を外した際に甲皮１の側面に露呈する引き手８ｄが歩行や運動の際に破損したり脱落するような虞れを防止することができる。甲皮側に装着した場合は、被覆バンド４を外した際に甲皮１の側面に露呈する引き手８ｄに、装飾具としての機能を持たせることが期待できる。
【００１７】
止着手段９は、被覆バンド４の他端部の裏面側と、前側開き部２の他方の縁部２ｂの近傍とに設けた、雄雌の異なる所定広さの面ファスナー９ａ，９ｂからなり、該止着手段９により、被覆バンド４の他端部が前側開き部２の他方の縁部２ｂ側に係脱自在に止着されると共に、被覆バンド４の長さ調整手段を別途要することなく甲皮１前側の締付け度合いの強弱を任意に調整し得るようになっている。
【００１８】
被覆バンド４は、一端部が前記スライドファスナー８で前側開き部２の一方の縁部２ａ側に固定され、他端部が前記止着手段９で他方の縁部２ｂ側に係脱自在に止着されると共に、前側開き部２を被覆可能な大きさを有し、前側開き部２の左右縁部２ａ，２ｂ間にわたって備えられて、他端部を外した状態で甲皮１の前側が緩んで履き口５に対する足の出し入れが容易に行えるようになり、他端部を止着した状態で履き口５が締まって足が簡単に脱げなくなるように形成されている。
【００１９】
以上の構成になる本例の運動靴は、図１に示すように、靴紐３によって甲皮１前側の締緩を行い、その上から被覆バンド４を被せることで、靴紐３の緩みや解け等を防止すると共に、締緩手段としての靴紐３を用いながらバンドタイプの外観を持つ運動靴となる。
また、スライドファスナー８の操作で被覆バンド４を外して、図２に示すような紐タイプの運動靴とすることもできる。また、被覆バンド４は装着したままで靴紐３を外すことで、図３に示すようなバンドタイプの運動靴とすることもできる。
前記三つのタイプの何れにするかは、使用者の好みやその日の気分、使用目的などに応じて、任意に選択することができる。
【００２０】
尚、図示は省略したが、被覆バンド４の表面側と裏面側に夫々異なる色彩、模様、文字等の意匠を付すと共に、被覆バンド４の他端部の表面側にも面ファスナー９ａを設けることで、何れか一方の面を選択して使用し得るようにすることもできる。
この場合、右足側と左足側の夫々の靴本体ａにおいて、スライドファスナー８を前述のように操作し被覆バンド４を外して裏返した後、該被覆バンド４を、他方の靴本体ａに対し、再度スライドファスナー８を操作し連結することで、被覆バンド４の意匠を変更することができる。
【００２１】
以上、本発明に係る運動靴の実施形態の一例を図面を参照して説明したが、本発明は図示例に限定されるものではなく、各請求項に記載された技術的思想の範疇であれば、種々の変更が可能であることは言うまでもない。
【図面の簡単な説明】
【００２２】
【図１】本発明に係る運動靴の実施形態の一例を示す斜視図で、（イ）は被覆バンドの止着状態、（ロ）は被覆バンドを開いた状態を表す。
【図２】図１に係る運動靴の被覆バンドを外した状態を示す斜視図。
【図３】図１に係る運動靴の靴紐外した状態を示す斜視図。
【符号の説明】
【００２３】
１：甲皮
２：前側開き部
２ａ：一方の縁部
２ｂ：他方の縁部
３：靴紐
４：被覆バンド
８：スライドファスナー（連結手段）
８ａ，８ｂ：歯
８ｃ：スライダー
８ｄ：引き手
９：止着手段
９ａ，９ｂ：面ファスナー
【図１】
2006075207.tif 000003
【図２】
2006075207.tif 000004
【図３】
2006075207.tif 000005